(57)【要約】【課題】使用者に不快感等を与えることなく発生したイベントを確実に通知する。【解決手段】コンテンツデータを再生するコンテンツデータ再生手段１１と、コンテンツデータの再生中に発生するイベントを検知するイベント検知手段１２と、コンテンツデータを変調する変調手段２０Ｄとを備え、イベント検知手段１２がイベントの発生を検知した時に、変調手段２０Ｄがコンテンツデータを変調することにより通知する。【選択図】図１
2006074571.tif 000002
【特許請求の範囲】
【請求項１】
コンテンツデータを再生する再生手段と、
前記コンテンツデータの再生中に発生するイベントを検知する検知手段と、
前記コンテンツデータを変調する変調手段とを備え、
前記検知手段がイベントの発生を検知した時に、前記変調手段が前記コンテンツデータを変調することにより通知することを特徴とする情報端末。
【請求項２】
前記変調手段が変調するコンテンツデータの種類が画像であることを特徴とする請求項１の情報端末。
【請求項３】
前記変調手段が変調するコンテンツデータの種類が音声であることを特徴とする請求項１または請求項２に記載の情報端末。
【請求項４】
前記変調手段が変調するコンテンツデータの種類を選択する選択手段を備える請求項１、請求項２または請求項３に記載の情報端末。
【請求項５】
請求項１から請求項４のいずれかに記載の情報端末において、前記検知手段がイベントの発生を検知した時に互いに異なる複数の通知形態で通知する通知手段と、
複数の通知形態から任意の通知形態を選択する選択手段と、
を備える情報端末。
【請求項６】
前記通知手段は、発光により前記イベントの発生を通知する発光手段を含む請求項５記載の情報端末。
【請求項７】
前記通知手段は、振動により前記イベントの発生を通知する振動手段を含む請求項５または請求項６に記載の情報端末。
【発明の詳細な説明】
【技術分野】
【０００１】
本発明は、コンテンツの再生中に発生したイベントを通知する技術に関する。
【背景技術】
【０００２】
近年、携帯電話等の情報端末は、音や画像等のコンテンツを再生する機能を備えており、また、コンテンツ再生中に発生する着信等のイベントを通知する機能を備える。着信等のイベントを通知する技術としては、バイブレータを駆動させるもの、コンテンツの再生を中断したり、再生しているコンテンツの音量を下げるもの（特許文献１、２、３）、再生しているコンテンツと通話音とのバランスを変化させるもの（特許文献３）がある。
【特許文献１】特開２００４−０８０３９５号公報
【特許文献２】特開２００１−１４５１６７号公報
【特許文献３】特開２００２−０２７０２９号公報
【特許文献４】特開２００３−２５８９８８号公報
【発明の開示】
【発明が解決しようとする課題】
【０００３】
しかしながら、従来の技術ではイベントが発生したときに再生中のコンテンツ音声が突然途中で途切れたり、音量が下げられたりすることがあり、使用者に不快感を与えるという問題があった。イベントの通知時にバイブレータを駆動させる場合は、端末が肌身に密着していないと検知が難しく、特にヘッドフォン着用時には振動音も聞き取れないため、使用者がイベントに気が付かないという問題があった。また、突然に端末が振動することや、振動によって音が響くことにより、使用者を驚かせてしまうという問題もあった。
【０００４】
本発明は、使用者に不快感等を与えることなく発生したイベントを確実に通知することができる情報端末を提供することを目的とする。
【課題を解決するための手段】
【０００５】
本発明の情報端末は、コンテンツデータを再生する再生手段と、前記コンテンツデータの再生中に発生するイベントを検知する検知手段と、前記コンテンツデータを変調する変調手段とを備え、前記検知手段がイベントの発生を検知した時に、前記変調手段が前記コンテンツデータを変調することにより通知することを特徴とする。この構成によれば、再生中のコンテンツ自体の変調によりイベントの発生を通知することができるので、使用者に不快感等を与えることなく発生したイベントを確実に通知することができる。
【０００６】
本発明において、前記変調手段が変調するコンテンツデータの種類が画像であることを特徴とする。または、前記変調手段が変調するコンテンツデータの種類が音声であることを特徴とする。この構成によれば、コンテンツの種類に応じた変調を行うことができる。
【０００７】
本発明において、前記変調手段が変調するコンテンツデータの種類を選択する選択手段を備える。また、本発明において、前記検知手段がイベントの発生を検知した時に互いに異なる複数の通知形態で通知する通知手段と、複数の通知形態から任意の通知形態を選択する選択手段とを備える。また、本発明において、前記通知手段は、発光により前記イベントの発生を通知する発光手段を含む。また、前記通知手段は、振動により前記イベントの発生を通知する振動手段を含む。この構成によれば、発生したイベントの種類によって、通知する手段を変更することが可能となり、また、使用者が任意に通知する手段を設定することができる。
【発明の効果】
【０００８】
本発明によれば、再生中のコンテンツ自体の変調によりイベントの発生を通知することができるので、使用者に不快感等を与えることなく発生したイベントを確実に通知することができる。
【発明を実施するための最良の形態】
【０００９】
図１は本発明の情報端末の構成を示すブロック図である。図１に示すように、情報端末は、コンテンツデータを再生して表示部１８、音声出力部１９に出力するコンテンツデータ再生手段１１と、コンテンツデータの再生中に発生するイベントを検知するイベント検知手段１２と、イベントの発生をＬＥＤ駆動手段２０Ａ、ＶＩＢ駆動手段２０Ｂ、メロディ再生手段２０Ｃ、コンテンツデータを変調する変調手段２０Ｄにより通知する通知手段２０と、ユーザが設定する通知モード選択手段１３により通知形態を選択する通知形態選択手段１４とを備える。
【００１０】
イベント検知手段１２は、電話着信を検知する着信検知手段１２Ａ、電子メールの受信を検知するメール検知手段１２Ｂ、予定日時のアラームを検知するスケジュールアラーム検知手段１２Ｃ、キー入力を検知するキー検知手段１２Ｄ、各種の警告を検知する警告検知手段１２Ｅを含む。
【００１１】
変調手段２０Ｄは、変調信号生成手段１６から供給される変調信号によりコンテンツを変調する。変調対象となるコンテンツの種類（音、映像）は変調方法選択手段１５によりユーザが設定することができる。
【００１２】
さらに、情報端末は全体を制御するＣＰＵ（中央演算装置）２１と、ユーザが設定した状態を保持する状態保持手段２２とを備える。
【００１３】
図２、図３および図４は、図１に示した情報端末の動作を説明するためのシーケンスを示す図であり、図２はユーザ設定手順、図３および図４は着信動作手順を示している。
【００１４】
図２に示すユーザ設定手順は、通知モード選択手段１３によるユーザ設定手順と、変調方法選択手段１５によるユーザ設定手順とがある。まず、通知モード選択手段１３によるユーザ設定により（Ｓ２０１）、ＣＰＵ２１は、電話着信、メール着信、スケジュール、アラーム、キーまたは警告音発生のいずれかへ通知形態を変更する通知モードの変更要求を通知モード選択手段１３に対して行い（Ｓ２０２）、状態保持手段２２に保持する（Ｓ２０３，Ｓ２０４）。通知モードの変更が完了すると、完了通知が通知モード選択手段１３からＣＰＵ２１に返され（Ｓ２０５）、通知モードの選択設定が完了する。なお、ユーザが設定表示処理を行うと、通知モードの選択画面が表示部１８に表示される（Ｓ２１５）。
【００１５】
変調方法選択手段１５によるユーザ設定により（Ｓ２０６）、ＣＰＵ２１は変調モード変更要求を変調方法選択手段１５に対して行い（Ｓ２０７）、状態保持手段２２に保持する（Ｓ２０８，Ｓ２０９）。変調モードの変更が完了すると、完了通知を変調方法選択手段１５からＣＰＵ２１に返し（Ｓ２１０）、これにより変調モード（例えば「音声」）の選択設定が完了する。変調方法選択手段１５によるユーザ設定により（Ｓ２０６）、ＣＰＵ２１は変調種別変更要求を変調方法選択手段１５に対して行い（Ｓ２１１）、状態保持手段２２に保持する（Ｓ２１２，Ｓ２１３）。変調種別の変更が完了すると、完了通知を変調方法選択手段１５からＣＰＵ２１に返し（Ｓ２１４）、これにより変調種別（例えば「ビブラート」）の選択設定が完了する。なお、通知モード選択手段１３および変調方法選択手段１５による選択設定動作は、コンテンツ再生の有無に関係なく実行される。なお、ユーザが設定表示処理を行うと、変調方式の選択画面が表示部１８に表示される（Ｓ２１６）。また、ユーザ設定時のユーザに対する設定通知は、画面表示（ポップアップ、スーパーインポーズ）に限らず、音声、ＬＥＤ、ＶＩＢ（振動）等で行ってもよい。
【００１６】
コンテンツデータ再生手段１１によるコンテンツの再生は並行して実施されており、コンテンツ再生出力は、コンテンツバッファを介して表示部１８、音声出力部１９に出力される。
【００１７】
図３に示す着信動作手順において、まず、情報端末のイベント検知手段１２のうち、例えば着信検知手段１２Ａが電話着信を検知すると（Ｓ３０１）、ＣＰＵ２１に対し着信要求を行う（Ｓ３０２）。ＣＰＵ２１は、着信要求があった電話着信について端末内部の競合制御およびパス制御を実行し（Ｓ３０３）、着信通知要求を通知情報選択手段１４に対して実施する（Ｓ３０４）。通知情報選択手段１４は通知モード選択手段１３から通知モード状態を取得し（Ｓ３０５）、通知モードの判別を行う（Ｓ３０６）。
【００１８】
判別の結果、発光ダイオードやバイブレータによるモード通知（Ｓ３０７）、メロディによるモード通知（Ｓ３０８）、コンテンツ変調によるモード通知（Ｓ３０９）をＣＰＵ２１に通知する。ＣＰＵ２１は各通知モードを発光ダイオード駆動手段２０Ａ、バイブレータ駆動手段２０Ｂ、メロディ再生手段２０Ｃに通知する（Ｓ３１１、Ｓ３１２）。
【００１９】
通知モードの判別結果としてコンテンツ変調の通知モード信号を受けると（Ｓ３０９）、変調信号生成要求を変調信号生成手段１６に対して行う（Ｓ３１０）。変調信号生成手段１６は変調方法選択手段１５から変調モード状態情報を取得し（Ｓ３１３）、画像を変調するか否かを判断し（Ｓ３１４）、画像の変調を行う場合は（Ｙｅｓ）、画像の変調パラメータを生成する（Ｓ３１５）。
【００２０】
続いて、変調信号生成手段１６は音声を変調するか否かを判断し（Ｓ３１６）、音声の変調を行う場合は（Ｙｅｓ）、音声の変調パラメータを取得する（Ｓ３１７）。変調信号生成手段１６は変調パラメータを取得すると変調信号を生成し（Ｓ３１８）、これを変調信号情報として保存し（Ｓ３１９）、変調信号生成完了通知をＣＰＵ２１に対して行い（Ｓ３２０）、一連の変調信号生成動作を終了する。
【００２１】
コンテンツデータ再生手段１１によるコンテンツの再生は並行して実施され、画像および音声のコンテンツ再生出力はコンテンツバッファを介して表示部１８、音声出力部１９に出力される。
【００２２】
次に、ＣＰＵ２１は変調信号生成完了通知を受け（Ｓ３２０）、図４に示すように変調手段１７に変調要求を行う（Ｓ４０１）。変調手段１７は、変調要求を受けて保存した変調信号情報を受け（Ｓ４０２）、コンテンツバッファからコンテンツを受け（Ｓ４０３，Ｓ４０５，Ｓ４０７）、コンテンツの画像変調処理（Ｓ４０４）、音声変調処理（Ｓ４０６）を実行する。これらの変調処理を行ったコンテンツである画像情報および音声情報はコンテンツバッファを介して表示部１８、音声出力部１９に出力されて画像表示および音声出力される。
【００２３】
表示部１８による画像表示および音声出力部１９による音声出力を行った後、変調手段１７による変調処理を端末の内部状態が変調終了の状態になるまで繰り返し実施する（Ｓ４０８）。変調終了となった場合は（Ｙｅｓ）、変調手段１７はＣＰＵ２１に対し変調の終了通知を出力する（Ｓ４０９）。
【００２４】
変調処理では、コンテンツが画像である場合は、画像をモノクロ画像、セピア画像、ゴースト（２重表示）画像、波紋（揺れる）画像、透明な球体に映したような画像、あるいは同じ画面を複数に分割して表示する等の処理を行う。コンテンツが音声である場合は、ＡＭ変調（トレモロ）、ＦＭ変調（ビブラート）、ＰＭ変調、タイムストレッチ（音を延ばす）、水中の声（こもった声）、ヘリウムガスを吸引して発声した時のようにピッチ（音程）が変わった声による出力、レコード盤再生音に似た擬似音声出力等の各処理を行う。
【００２５】
これらの変調処理によって、コンテンツが再生画像である場合には、着信時に画面をセピアやモノクロに変化させたり、ゴースト表示（２重表示）に変化させたり、波紋模様に変化させてコンテンツ画像が表示部１８に表示させることで、コンテンツ再生中に発生するイベントをユーザに通知することができる。
【００２６】
コンテンツが音声信号である場合には、着信時に音声にビブラート処理を施したり、水中で話をしているような音声処理を施したり、音声の再生速度を変化させる処理を施すことで、コンテンツ再生中に発生するイベントをユーザに通知することができる。
【００２７】
また、例えば、停電圧アラーム発生が、警報検知手段１２Ｅにより検知された場合には、音声のキーを上昇または下降させ、画像をモノクロまたはセピア調に変化させることで、コンテンツ再生中に発生するイベントをユーザに通知することができる。
【００２８】
通知モード選択手段１３および変調方法選択手段１５で選択される変調信号データ（パラメータ）は事前に用意しておいてもよいし、外部からダウンロードしたり、ユーザ側で作成したりしてもよい。
【００２９】
なお、コンテンツデータは、ＴＶや映画、ゲームなどの音と画像を伴うデータ、音楽やラジオ、ボイスレコーダー、着信メロディや効果音など音データ、写真などの画像データなどが想定される。
【００３０】
本発明の情報端末は、携帯電話、ＰＤＡ、ゲーム機等に適用可能である。
【産業上の利用可能性】
【００３１】
本発明の情報端末は、再生中のコンテンツ自体の変調によりイベントの発生を通知することができるので、使用者に不快感等を与えることなく発生したイベントを確実に通知することができるという効果を有し、コンテンツの再生中に発生したイベントを通知する技術等として有用である。
【図面の簡単な説明】
【００３２】
【図１】本発明の情報端末の構成を示すブロック図である。
【図２】本発明の情報端末の動作（ユーザ設定手順）を説明するためのシーケンス図である。
【図３】本発明の情報端末の動作（着信動作手順）を説明するためのシーケンス図である。
【図４】本発明の情報端末の動作（着信動作手順）を説明するためのシーケンス図である。
【符号の説明】
【００３３】
１１  コンテンツデータ再生手段
１２  イベント検知手段
１２Ａ  着信検知手段
１２Ｂ  メール検知手段
１２Ｃ  スケジュールアラーム検知手段
１２Ｄ  キー検知手段
１２Ｅ  警告検知手段
１３  通知モード選択設定手段
１４  通知形態選択手段
１５  変調方法選択手段
１６  変調信号生成手段
１８  表示部
１９  音声出力部
２０  駆動手段
２０Ａ  発光ダイオード駆動手段
２０Ｂ  バイブレータ駆動手段
２０Ｃ  メロディ再生手段
２０Ｄ  変調手段
２１  ＣＰＵ
２２  状態保持手段
【図１】
2006074571.tif 000003
【図２】
2006074571.tif 000004
【図３】
2006074571.tif 000005
【図４】
2006074571.tif 000006